(57)【特許請求の範囲】
【請求項１】
他の装置からデータを受信する受信手段と、
前記受信手段で受信したテキストデータとイメージデータを関連付けてデータベースに格納するデータ格納手段と、
前記テキストデータより短い保存期間で前記イメージデータを複数のバックアップ媒体の中の何れかのバックアップ媒体にバックアップする際に、前記テキストデータの受信日時と前記バックアップ媒体を識別するバックアップ媒体識別情報と前記イメージデータを識別するイメージデータ識別情報と前記イメージデータに関連付けられているテキストデータとが対応付けられるバックアップ管理情報を作成するバックアップ管理情報作成手段と、
前記バックアップ管理情報を記憶するバックアップ管理情報記憶手段と、
参照対象の前記テキストデータと関連付けられているイメージデータが前記データベースに存在するか否かを判定し、関連する前記イメージデータが前記データベースに存在しないときには、前記バックアップ管理情報を参照して、前記参照対象のテキストデータの受信日時に対応するバックアップ媒体を前記複数のバックアップ媒体の中から特定し、その特定したバックアップ媒体から前記参照対象のテキストデータの受信日時に対応するイメージデータを取得するバックアップデータ取得手段と、
取得した前記イメージデータを前記データベースにリストアするリストア手段とを備える
データ管理装置。
【請求項２】
前記受信手段は、現金自動預け払い機の取引データとカメラで撮影した利用者の画像データをそれぞれ前記テキストデータと前記イメージデータとして受信し、
前記データ格納手段は、前記取引データと前記利用者の画像を関連付けて前記データベースに格納する請求項１記載のデータ管理装置。
【請求項３】
前記テキストデータと前記イメージデータは共通に割り当てられる管理番号により関連付けられて前記データベースのテキストデータ用領域とイメージデータ用領域にそれぞれ格納される請求項１又は２記載のデータ管理装置。
【請求項４】
受信した前記テキストデータと前記イメージデータは前記データベースのリアルタイムデータ記憶領域に格納され、前記バックアップメディアからリストアされた前記イメージデータは前記データベースのリストアデータ領域に格納される請求項１、２又は３記載のデータ管理装置。
【請求項５】
他の装置から受信したテキストデータとイメージデータを関連付けてデータベースに格納し、
前記テキストデータより短い保存期間で前記イメージデータを複数のバックアップ媒体の中の何れかのバックアップ媒体にバックアップする際に、前記テキストデータの受信日時と前記バックアップ媒体を識別するバックアップ媒体識別情報と前記イメージデータを識別するイメージデータ識別情報と前記イメージデータに関連付けられているテキストデータとが対応付けられるバックアップ管理情報を作成して記憶手段に記憶し、
参照対象の前記テキストデータと関連付けられているイメージデータが前記データベースに存在するか否かを判定し、関連する前記イメージデータが前記データベースに存在しないときには、前記バックアップ管理情報を参照して、前記参照対象のテキストデータの受信日時に対応するバックアップ媒体を前記複数のバックアップ媒体の中から特定し、その特定したバックアップ媒体から前記参照対象のテキストデータの受信日時に対応するイメージデータを取得し、
取得した前記イメージデータを前記データベースにリストアして端末装置から参照できるようにする
バックアップデータ参照方法。
【発明の詳細な説明】
【技術分野】
【０００１】
本発明は、データ管理装置及びバックアップデータ参照方法に関する。
【背景技術】
【０００２】
複数の現金自動預け払い機等の装置の取引データをサーバ装置が管理するシステムでは、使用頻度の低いデータは短い保存期間に設定してデータベースから削除している。このような場合、保存期間の長いデータはアクセスできるが、保存期間の短いデータはバックアップデータとして別の媒体に保存されるため、バックアップ先の媒体を探してデータを読み出す必要がある。
【０００３】
従来技術として、電子書庫などのファイル管理装置において、文書ファイルのバックアップを行う場合に、バックアップ処理の履歴を格納するファイルを生成し、その履歴ファイルを用いてデータのリストアを行うことが知られている（例えば、特許文献１）。
【０００４】
また、バックアップされた複数の外部媒体から所望のデータを検索できるようにした管理装置として、バックアップされたデータについてバックアップ日時とバックアップ媒体識別記号とリカバリ日時等を登録した管理マスタを設けることが知られている（例えば、特許文献２）。
【０００５】
また、バックアップデータ管理装置において、データのバックアップ先が磁気テープ装置のみ、あるいは磁気テープ装置とハードディスク装置の両方かを示すデータ保管状態情報を管理テーブルに登録しておく。そして、バックアップ対象のデータがハードディスク装置にバックアップされている場合には、ハードディスク装置を優先してリカバリすることでリカバリに要する時間を短縮することが知られている（例えば、特許文献３）。
【０００６】
さらに、作業ファイルのバックアップ磁気テープを作成する方法において、ファイル番号、磁気テープ番号等の情報を記憶する管理テーブルを作成し、管理テーブルの内容をシステムファイル用磁気テープに記憶する。データを復旧する場合には、システムファイル用磁気テープの情報からファイルが格納されている磁気テープ番号等を取得し、データのリカバリを行う技術が知られている（例えば、特許文献４）。
【０００７】
また、磁気ディスク装置等において、データの並べ替え時にデータアクセスの順番に並び替えることでアクセス時間を短縮することが知られている（例えば、特許文献５）。
【先行技術文献】
【特許文献】
【０００８】
【特許文献１】特開２００２−８２８２１号公報
【特許文献２】特開平５−７３３８８号公報
【特許文献３】特開平１１−２１２８４５号公報
【特許文献４】特開平７−５６７９１号公報
【特許文献５】特開平３−３００１４号公報
【発明の概要】
【発明が解決しようとする課題】
【０００９】
本発明の課題は、バックアップ媒体に保存されたデータを簡単に参照できるようにすることである。
【課題を解決するための手段】
【００１０】
本発明のデータ管理装置は、他の装置からデータを受信する受信手段と、前記受信手段で受信したテキストデータとイメージデータを関連付けてデータベースに格納するデータ格納手段と、前記テキストデータより短い保存期間で前記イメージデータをバックアップ媒体にバックアップする際に、前記バックアップ媒体と前記イメージデータを特定するバックアップ管理情報を作成するバックアップ管理情報作成手段と、前記バックアップ管理情報を記憶するバックアップ管理情報記憶手段と、参照対象のテキストデータ又は日付が指定されたとき、参照対象の前記テキストデータ又は指定された日付の前記テキストデータと関連付けられているイメージデータが前記データベースに存在するか否かを判定し、関連する前記イメージデータが前記データベースに存在しないときには、前記バックアップ管理情報を参照して、前記イメージデータが格納されている前記バックアップ媒体から前記イメージデータを取得するバックアップデータ取得手段と、取得した前記イメージデータを前記データベースにリストアするリストア手段とを備えるデータ管理装置。
【００１１】
このデータ管理装置によれば、参照対象のテキストデータと関連付けられているイメージデータをバックアップ媒体から取得してデータベースにリストアすることができる。これにより、データベースから削除されたイメージデータをテキストデータと関連付けて参照することができる。
【発明の効果】
【００１２】
本発明によれば、データベースから削除されたイメージデータをテキストデータと関連付けて参照することができる。
【図面の簡単な説明】
【００１３】
【図１】実施の形態のデータ管理システムの構成を示す図である。
【図２】データ格納処理のフローチャートである。
【図３】バックアップ処理のフローチャートである。
【図４】バックアップ処理の説明図である。
【図５】データベースの構成を示す図である。
【図６】バックアップ済みデータの参照処理のフローチャートである。
【図７】リストア処理の説明図である。
【図８】リストア処理後のデータベースのデータを示す図である。
【図９】バックアップ済みデータの参照処理の説明図である。
【図１０】リストアデータ削除処理の説明図である。
【図１１】検索端末装置の表示画面を示す図（１）である。
【図１２】検索端末装置の表示画面を示す図（２）である。
【図１３】検索端末装置の表示画面を示す図（３）である。
【図１４】日次のデータ削除処理のフローチャートである。
【図１５】日次のデータ削除処理の説明図である。
【図１６】月次のデータ削除処理のフローチャートである。
【図１７】月次のデータ削除処理の説明図である。
【発明を実施するための形態】
【００１４】
以下、本発明の好適な実施の形態について説明する。図１は、実施の形態のデータ管理システムの構成を示す図である。
データ管理システムは、複数の現金自動預け払い機（ＡＴＭ：Automated Teller Machine）１１と、データベース１２と、データベース１２のデータの管理を行うサーバ装置（データ管理装置）１３とを有する。
【００１５】
サーバ装置１３は、データ受信処理、通番取得処理、テキストデータ格納処理等を実行するアプリケーションプログラムを有する。アプリケーションプログラムは、データ受信処理、通番取得処理、テキストデータ格納処理、イメージデータ格納処理、応答処理等を実行する。サーバ装置１３とデータベース１２との間のデータのやり取りは、例えば、ＳＱＬ（Structured Query Language：構造化問合せ言語)を用いている。
【００１６】
データベース１２は、最新の通番を記憶する通番管理領域２１と、テキストデータ用テーブル２２と、イメージデータ用テーブル２３を有する。
通番管理領域２１は最新の通番が記憶される領域である。取引データであるテキストデータと、カメラで撮影したユーザの画像のイメージデータ及びカードの撮影画像を1組とするデータに対して固有の番号（例えば、通番）が発行される。そして、その通番が通番管理領域２１に格納され次の通番の発行時に利用される。
【００１７】
テキストデータ用テーブル２２は、データに割り当てられた通番を記憶する領域２２ａと、装置番号（現金自動預け払い機１１の装置番号）を記憶する領域２２ｂと、データの受信日時を記憶する領域２２ｃと、口座番号を記憶する領域２２ｄと、取引金額を記憶する領域２２ｅを有する。
【００１８】
イメージデータ用テーブル２３は、通番を記憶する領域２３ａと、撮影したカメラ、あるいは撮影対象を示す種別を記憶する領域２３ｂと、カメラで撮影した利用者又はカードのイメージデータを記憶する領域２３ｃとを有する。イメージデータ用テーブル２３に格納されているイメージデータは通番によりテキストデータと関連付けられている。
【００１９】
次に、現金自動預け払い機１１から受信したデータをデータベース１２に格納する処理について図２を参照して説明する。以下の処理は、サーバ装置１３の図示しない演算部（ＣＰＵ）により実行され、処理結果のデータはメモリ、ハードディスク装置等の記憶部に格納される。
【００２０】
最初に、現金自動預け払い機（ＡＴＭ）１１から取引データを受信する（図２、Ｓ１１）。
次に、受信したデータが正常か否かをチェックする（Ｓ１２）。データチェックがＯＫのときには、ステップＳ１３に進み、データベース１２の通番管理領域２１から通番を取得し、取得した通番に「１」を加算した値を次の通番として設定する（Ｓ１３）。
【００２１】
次に、受信したテキストデータをデータベース１２のテキストデータ用テーブル２２に通番と装置名と日時のデータと共に書き込む（Ｓ１４）。
次に、受信したイメージデータをデータベース１２のイメージデータ用テーブル２３に、通番と種別と共に書き込む（Ｓ１５）。
【００２２】
上記のデータベース１２に関する処理（ＤＢ処理）が正常に完了したか否かを判定する（Ｓ１６）。
データベース１２に関する処理が正常に完了した場合には（Ｓ１６、正常）、ステップＳ１７に進み、正常応答完了コマンドを現金自動預け払い機１１に送信する。
【００２３】
ステップＳ１２においてデータのチェック結果がＮＧであった場合、あるいはステップＳ１６においてデータベース１２に関する処理でエラーが発生した場合には、ステップＳ１８に進みエラー応答コマンドを現金自動預け払い機１１に送信する。
【００２４】
図３は、データのバックアップ処理のフローチャートである。このバックアップ処理は、毎日定時に起動される。
最初に、バックアップするデータの日付を受け付ける（Ｓ２１）。次に、バックアップ対象日付のテキストデータを検索し、検索により得られたテキストデータをエクスポートする（Ｓ２２）。
【００２５】
次に、バックアップ対象日付のイメージデータを検索し、検索により得られたイメージデータをエクスポートする（Ｓ２３）。
次に、テキストデータとイメージデータをエクスポートしたファイルをバックアップメディア１４に移動する（Ｓ２４）。ステップＳ２４の処理では、データをバックアップメディア１４に移動する際に、ファイルをどのバックアップメディア１４に格納したか示すバックアップファイル管理情報テーブル３３（図７参照）を作成してサーバ装置１３の記憶部（例えば、不揮発性メモリ、ハードディスク等）に保存する。この管理情報の作成機能は、例えば、バックアップ管理情報作成手段に対応する。また、バックアップファイル管理情報を記憶する記憶部は、バックアップ管理情報記憶手段に対応する。
【００２６】
参照対象のデータを読み出すときには、上記のバックアップ管理情報３３を参照することでデータが保存されているバックアップメディア１４を特定することができる。
図４は、バックアップ処理３０の説明図である。図４に示すように、テキストデータ用テーブル２２には、データの通番と受信日時が記録されているので、バックアップ処理３０が実行された日時を基準にして所定期間が経過したデータを抽出することができる。
【００２７】
さらに、抽出したデータの通番をキーとしてイメージデータ用テーブル２３を検索することで、バックアップ日時を基準にして一定期間（テキストデータとは異なる保存期間）が経過したイメージデータを抽出することができる。
【００２８】
イメージデータの保存期間は、テキストデータ（取引データ）の保存期間より短く設定されている。保存期間が経過したデータはバックアップメディア１４に保存され、その後、データ削除処理によりデータベース１２から削除される。
【００２９】
図５は、データベース１２の構成を示す図である。データベース１２は、リアルタイムデータ領域３１とリストアデータ領域３２を有する。
リアルタイムデータ領域３１は、現金自動預け払い機１１から受信するデータを記録する領域であり、前述したテキストデータ用テーブル２２とイメージデータ用テーブル２３を有する。
【００３０】
リストアデータ領域３２は、バックアップメディア１４から読み込まれるデータを記憶する領域であり、テキストデータ用テーブル２４とイメージデータ用テーブル２５を有する。リストアデータ領域３２は、通常はデータが何も記録されていない未使用状態となっている。
【００３１】
図６は、バックアップ済みデータを参照する処理のフローチャートである。
バックアップ済みデータの参照要求が発生すると、最初に、参照したいデータの日付を受け付ける（Ｓ３１）。ステップＳ３１の処理では、例えば、現金自動預け払い機１１で撮影した映像を参照したいときには取引の日付を入力する。なお、参照したいデータを指定する方法は日付に限らず、装置番号、口座番号等を指定しても良いし、それらのデータと日付を指定しても良い。
【００３２】
サーバ装置１３は、参照対象のデータの日付（又は他の情報）が指定されるとリストア処理を実行する（Ｓ３２）。ステップＳ３２のリストア処理では、バックアップ管理情報テーブル３３を参照して指定された日付のデータが格納されているバックアップメディア１４を特定する。そして、特定したバックアップメディア１４に格納されているファイルを読み出し、読み出したファイル（例えば、通番を含むイメージデータ）データベース１２のリストアデータ領域３２に格納する。
【００３３】
次に、データ参照処理を実行する（Ｓ３３）。ステップＳ３３のデータ参照処理では、リストアデータ領域３２のデータの検索を指示した端末装置に表示させる。
端末装置からデータ参照の終了が通知されると、サーバ装置１３は、ログアウト処理を実行する（Ｓ３４）。ステップＳ３４のログアウト処理では、データベース１２のリストアデータ領域３２に格納されたデータを削除する。
【００３４】
図７はリストア処理の説明図、図８はリストア処理後のデータベース１２のデータを示す図である。
サーバ装置１３のアプリケーションプログラムは、後述するデータ詳細画面で確認ボタン４１ｅ（図１１参照）が操作されたことを検出すると、指定されたテキストデータの通番と受信日時を取得し、表示させたいデータの日時を指定してリストアジョブ３４を起動する（Ｓ４１）。
【００３５】
リストアジョブ３４は、アプリケーションプログラムから参照対象のデータの日時と連番を取得すると、バックアップファイル管理情報テーブル３３から参照対象のデータが格納されているバックアップメディア１４を特定するメディア番号とファイル名を取得する（Ｓ４２）。
【００３６】
バックアップファイル管理情報テーブル３３には、データの通番と、ファイル名と、日付等のデータ属性と、メディア番号等からなるバックアップファイル管理情報（バックアップ管理情報）が格納されている。このバックアップファイル管理情報テーブル３３を参照することで、指定された日時のデータがどのバックアップメディア１４に格納されているかを知ることができる。
【００３７】
次に、メディアドライブ１５にセットされている複数のバックアップメディア１４の中から該当するメディア番号のバックアップメディア１４を特定し、そのバックアップメディア１４から参照したい日時のファイルを取得する（Ｓ４３）。そして、取得したファイルをデータベース１２のリストアデータ領域３２に格納する（Ｓ４４）。ステップ４４の処理では、例えば、バックアップメディア１４から取得したイメージデータを通番と共にリストアデータ領域３２のイメージデータ用テーブル２５にリストアする。
【００３８】
上記のバックアップメディア１４からデータを取得する機能は、例えば、バックアップデータ取得手段に対応する。また、バックアップメディア１４から取得したイメージデータを通番と共にリストアデータ領域３２にリストアする機能は、例えば、イメージデータをデータベース１２にリストアするリストア手段に対応する。
【００３９】
上記の処理により、図８に示すようにリストアデータ領域３２のテキストデータ用テーブル２４には、指定された日時yyyy/mm/dd hh:mmのテキストデータが通番と対応付けて格納される。同様に、リストアデータ領域３２のイメージデータ用テーブル２５には、通番と対応づけてバックアップメディア１４に格納されているイメージデータがリストアされる。
【００４０】
リストアジョブ３４が完了するとアプリケーションプログラムに処理が移動する（Ｓ４５）。
サーバ装置１３のアプリケーションプログラムは、参照対象のデータの通番をキーにリストアデータ領域３２のデータを検索し、該当するイメージデータを端末装置に表示させる（Ｓ４６）。
【００４１】
図９は、バックアップ済みデータの参照処理の説明図である。バックアップ済みデータを参照する場合には、検索端末装置１６から参照したいデータの日付を指定して、サーバ装置１３のリストアジョブ３４を呼び出す（Ｓ５１）。
【００４２】
リストアジョブ３４は、バックアップ管理情報テーブル３３を参照してデータがバックアップされているバックアップメディア１４を特定し、そのバックアップメディア１４からデータを読み出す。そして、読み出したデータ（例えば、イメージデータ）をデータベース１２のリストアデータ領域３２に格納した後、検索端末装置１６に通知する。
【００４３】
リストアジョブ３４からデータのリストアが完了したことを通知されると、検索端末装置１６は、データベース１２のリストアデータ領域３２のイメージデータを参照する（Ｓ５２）。これによりデータの日付が分かっている場合に、検索端末装置１６を利用してバックアップメディア１４に移動されたイメージデータを参照することができる。
【００４４】
検索端末装置１６は、データの参照が終了したなら、ログアウト処理を実行し、リストアしたデータをリストアデータ領域３２から削除する（Ｓ５３）。なお、リストアしたデータをデータベース１２から削除するログアウト処理はサーバ装置１３が実行しても良い。
【００４５】
図１０は、リストアデータ削除処理の説明図である。サーバ装置１３のアプリケーションプログラムがログアウト処理を実行すると（Ｓ６１）、リストアデータ削除ジョブ３５が実行される。リストアデータ削除ジョブ３５は、データベース１２のリストアデータ領域３２にリストアしたバックアップデータを全て削除する。その結果、図１０に示すようにリストアデータ領域３２は未使用状態となる。
【００４６】
図１１〜図１３は、検索端末装置１６の表示画面を示す図である。
図１１の（１）は、データ検索時の表示状態を示している。このとき検索端末装置１６の表示部４１には、検索条件入力画面４１ａと検索結果一覧４１ｂが表示される。
【００４７】
検索条件入力画面４１ａには、現金自動預け払い機を指定する装置番号、取引が行われた日時、口座番号等のデータを入力する入力欄が表示される。
検索条件を入力して検索ボタン４１ｃを操作すると、データベース１２のリアルタイムデータ領域３１から検索条件を満たす取引データが抽出され、抽出された取引データの一覧が検索結果一覧４１ｂとして表示される。さらに、検索結果一覧４１ｂの右側には詳細表示ボタン４１ｄが表示される。詳細表示ボタン４１ｄが操作されると、取引データの詳細表示状態に切り替わる。
【００４８】
図１１の（２）は、データの詳細表示状態（詳細表示画面）を示している。取引データと関連づけられたイメージデータ（利用者を撮影した画像、カードの撮影画像など）がデータベース１２のリアルタイムデータ領域３１に保存されている場合には、そのイメージデータが表示される。
【００４９】
イメージデータがデータベース１２上から削除されている場合には、「一部データはバックアップされています。閲覧する場合は確認ボタンを押して下さい」というメッセージが表示される。ユーザが表示されたメッセージに従って確認ボタン４１ｅを操作すると、バックアップメディア１４に保存されているイメージデータのリストア処理が開始される。
【００５０】
図１２の（３）はリストア処理中の表示状態を示している。リストア処理中は、「データ表示準備中です。しばらくお待ち下さい」というメッセージが表示される。
リストア処理が終了すると、図１２の（４）に示すリストアデータの表示状態に切り替わる。リストアデータの表示状態においては、取引データと、バックアップメディア１４から読み出したカメラ画像（利用者を撮影した画像）４１ｆとエンボス画像（カードを撮影した画像）４１ｇが表示される。これにより、現金自動預け払い機１１で取引を行った人の顔とカードを確認することができる。
【００５１】
リストアデータを表示させた状態で終了ボタン４１ｈを操作すると、図１３の（５）のリストアデータ検索時の表示状態に切り替わる。このデータ検索画面では、リアルタイムデータ領域３１とリストアデータ領域３２のデータを検索対象として選択できる。図１３の（５）は、検索対象データとしてリストアデータ領域３２のデータを選択した場合の例である。
【００５２】
データ検索画面には、検索条件入力画面と検索結果一覧が表示される。リストアデータを表示させた後、ログアウトの操作を行うと、図１３の（６）に示すログアウト時の表示状態に切り替わる。ログアウト操作が行われると、データベース１２のリストアデータ領域３２に一時的に格納されたリストアデータは削除される。
【００５３】
図１４は、日次のデータ削除処理のフローチャートである。日次のデータ削除処理は毎日定時に起動される。
起動された日時を基準にして削除するデータ日付を算出する（Ｓ７１）。例えば、取引データの保存期間が1年間、イメージデータの保存期間が１ヶ月のときには、現在の日付の1年前の日付と1ヶ月前の日付を算出する。
【００５４】
次に、１年前の日付以前のテキストデータ（取引データ）をデータベース１２から削除する（Ｓ７２）。
同様に、１ヶ月前の日付以前のイメージデータをデータベース１２から削除する（Ｓ７３）。
【００５５】
図１５（Ａ）は、日次のデータ削除処理の説明図であり、図１５（Ｂ）は、削除するデータの一例を示す図である。
データ削除ジョブ３６は毎日同時刻に起動される。テキストデータ用テーブル２２の日時のデータを調べ、ジョブが起動された日付より1年前以前のデータを削除する。さらに、起動された日付より１ヶ月前以前のデータの通番を取得し、イメージデータ用テーブル２３の同じ通番のイメージデータを削除する。
【００５６】
上記の処理により、現在の1年前以前のテキストデータがデータベース１２のテキストデータ用テーブル２２から削除され、１ヶ月前以前のイメージデータがイメージデータ用テーブル２３から削除される。
【００５７】
図１５（Ｂ）に示すように、例えば、現在の日付が３月１５日であるとすると、前年の3月１４日のテキストデータが削除される。同様に、１ヶ月前の２月１４日以前のイメージデータが削除される。
【００５８】
図１６は、月次のデータ削除処理のフローチャートである。
起動された日時を基準にして削除するデータ日付を算出する（Ｓ８１）。例えば、取引データの保存期間が1年間、イメージデータの保存期間が１ヶ月のときには、現在の日付の1年前の日付、1ヶ月前の日付を算出する。
【００５９】
次に、１年前の日付以前の月単位のテキストデータ（取引データ）をデータベース１２から削除する（Ｓ８２）。
同様に、１ヶ月前の日付以前の月単位のイメージデータをデータベース１２から削除する（Ｓ８３）。
【００６０】
図１７（Ａ）は、月次のデータ削除処理の説明図であり、図１７（Ｂ）は、削除するデータの一例を示す図である。
データ削除ジョブ３６は1ヶ月毎に起動される。テキストデータ用テーブル２２の日時のデータを調べ、ジョブが起動された日付より1年前以前のデータを削除する。さらに、起動された日付より１ヶ月前以前のデータの通番を取得し、イメージデータ用テーブル２３の同じ通番のイメージデータを削除する。
【００６１】
上記の処理により、現在の1年前以前の1ヶ月分のテキストデータがデータベース１２のテキストデータ用テーブル２２から削除され、１ヶ月前以前の1ヶ月分のイメージデータがイメージデータ用テーブル２３から削除される。
【００６２】
図１７（Ｂ）に示すように、例えば、現在の日付が３月であるとすると、テキストデータに関しては保存期間が1年であるから、前年の３月以降のデータが保存され、２月のテキストデータが削除される。イメージデータに関しては保存期間が1ヶ月であるから、前月の２月の前の月である1月分のイメージデータが削除される。
【００６３】
上述した実施の形態によれば、テキストデータとイメージデータが関連付けて記憶され、イメージデータの保存期間がテキストデータの保存期間より短く、イメージデータが削除されている場合でも、バックアップメディア１４に保存されている該当するイメージデータを読み出して、検索端末装置１６（又はサーバ装置１３）の表示部に表示させることができる。これにより、例えば、参照対象のデータの作成日時等を指定して現金自動預け払い機１１等の取引時に撮影した利用者の画像を簡単に参照することができる。また、使用頻度の低いイメージデータをデータベース１２から削除することで記憶装置の容量を減らし、システムのコストを削減できる。
【００６４】
上述した実施の形態は、本発明を現金自動預け払い機１１とそのデータを管理するシステムに適用した場合について説明したがこれに限らない。テキストデータとイメージデータを管理するデータ管理装置であればどのような装置にも適用できる。
【符号の説明】
【００６５】
１１      現金自動預け払い機
１２      データベース
１３      サーバ装置
１４      バックアップメディア
１６      検索端末装置
２２      テキストデータ用テーブル
２３      イメージデータ用テーブル
３１      リアルタイムデータ領域
３２      リストアデータ領域
３３      バックアップファイル管理情報テーブル
【図３】
0005537107.tif 000002
【図５】
0005537107.tif 000003
【図６】
0005537107.tif 000004
【図８】
0005537107.tif 000005
【図１１】
0005537107.tif 000006
【図１２】
0005537107.tif 000007
【図１３】
0005537107.tif 000008
【図１４】
0005537107.tif 000009
【図１５】
0005537107.tif 000010
【図１６】
0005537107.tif 000011
【図１７】
0005537107.tif 000012
【図１】
0005537107.tif 000013
【図２】
0005537107.tif 000014
【図４】
0005537107.tif 000015
【図７】
0005537107.tif 000016
【図９】
0005537107.tif 000017
【図１０】
0005537107.tif 000018